(57)【要約】      （修正有）【課題】携帯端末による情報読取を容易かつ精度良く行うことを可能とする携帯端末用装着具を提供する。【解決手段】携帯端末用ジャケット１は、カメラ機能を有する携帯端末１３によって情報媒体の読取を行う際に携帯端末１３に装着するもので、載置台３１の下に基部３３を配置して構成される。載置台３１は携帯端末１３を載置するためのもので、携帯端末１３のカメラ１５に対応する位置には、カメラ１５の合焦距離を短縮するクローズアップレンズ９が設けられる。また、載置台３１の外周部には、携帯端末１３を固定するためのずれ防止ツメ７が設けられる。基部３３は、カメラ１５による読取範囲と干渉しないように設けられており、その高さは、情報読取時のカメラ１５からの合焦距離が基部３３の底面の高さ位置に対応するように定められる。【選択図】図３
2014103642.tif 000002
【特許請求の範囲】
【請求項１】
カメラ機能を有する携帯端末によって情報読取を行う際に前記携帯端末に装着する携帯端末用装着具であって、
前記携帯端末を載置するための載置台と、
前記載置台の下に配置された所定の高さの基部と、
を備えることを特徴とする携帯端末用装着具。
【請求項２】
前記載置台にクローズアップレンズが設けられることを特徴とする請求項１記載の携帯端末用装着具。
【請求項３】
前記携帯端末の位置を固定するための固定手段が設けられることを特徴とする請求項１または請求項２に記載の携帯端末用装着具。
【請求項４】
前記基部は、前記携帯端末のカメラの位置を含む前記載置台の平面の一部を避けて設けられることを特徴とする請求項１から請求項３のいずれかに記載の携帯端末用装着具。
【請求項５】
前記基部の底面の高さ位置が、情報読取時の前記携帯端末のカメラからの合焦距離に対応することを特徴とする請求項１から請求項４のいずれかに記載の携帯端末用装着具。
【請求項６】
前記載置台は、前記携帯端末からの照明を透過させることを特徴とする請求項１から請求項５のいずれかに記載の携帯端末用装着具。
【発明の詳細な説明】
【技術分野】
【０００１】
本発明は、携帯端末に装着する装着具に関し、更に詳しくは、カメラ機能を有する携帯端末で情報を読取る際に装着して用いる携帯端末用装着具に関する。
【背景技術】
【０００２】
近年、広告等の情報媒体において、携帯端末のカメラ機能を用いて商品に対応する二次元コードやバーコードを読取り、コードが示す所定のＵＲＬに自動的にアクセスすることによって、コードが付された商品の購入手続き・詳細情報入手・ＣＭ映像取得等の副次的なサービスを提供する仕組みが知られている（例えば、特許文献１、２、３）。
【０００３】
特許文献１には、ユーザが、店舗から配布された印刷物に印刷された二次元コードを携帯端末のコード読取部によって読取り、サーバにアクセスすると、サーバが、所定の情報を携帯端末に提供する情報提供システムが開示されている。
【０００４】
特許文献２には、広告依頼主が、広告媒体に商品等の広告と共に、広告識別情報及び接続情報を含んで構成される広告内容識別情報を示す二次元コードを印刷し、広告を見た利用者が、広告媒体に印刷されている二次元コードを携帯電話機の撮像部で読取り、２次元コードが示す接続情報に基づいてサーバにアクセスして広告識別情報を送信する仕組みが開示されている。
【０００５】
特許文献３には、二次元コードの読取手段が内蔵されたユーザの携帯通信端末と、データベースを有するサーバとが通信ネットワークを介して相互に通信可能に接続され、ユーザが、広告媒体に印刷された商品の識別情報を記憶した二次元コードを携帯通信端末で読取ると、商品の広告を掲載した商品ＷｅｂページのＵＲＬ情報を抽出し、ユーザに提供するＵＲＬ情報提供システムが開示されている。
【先行技術文献】
【特許文献】
【０００６】
【特許文献１】特開２００６−２３６２２７号公報
【特許文献２】特許第３８８８０４９号公報
【特許文献３】特許第４８０３８１５号公報
【発明の概要】
【発明が解決しようとする課題】
【０００７】
しかしながら、特許文献１〜３のように、コードの読取手段として携帯端末のカメラ機能を用いる場合、ユーザがカメラの合焦距離を微調整したり、撮影中にカメラ位置を手で固定したりする必要がある。このような作業は、例えば商品カタログ等によって数多くの商品を閲覧しつつコードを読取るような場合、非常に不便である。また、ピントずれやぶれ等により読取精度が低くなることもある。
【０００８】
本発明は、前述した問題点に鑑みてなされたものであり、その目的は、携帯端末による情報読取を容易かつ精度良く行うことを可能とする携帯端末用装着具を提供することである。
【課題を解決するための手段】
【０００９】
前述した目的を達成するための本発明は、カメラ機能を有する携帯端末によって情報読取を行う際に前記携帯端末に装着する携帯端末用装着具であって、前記携帯端末を載置するための載置台と、前記載置台の下に配置された所定の高さの基部と、を備えることを特徴とする携帯端末用装着具である。
【００１０】
本発明の携帯端末用装着具の載置台の上に携帯端末を載置して装着し、情報媒体上に置くことにより、携帯端末を情報媒体上で移動させながら、情報媒体の情報を読取ったり、携帯端末に拡大して表示させることができる。この際、携帯端末と情報媒体との距離は自ずと固定されるので、携帯端末のカメラ位置を手で固定する必要はなく、ピントずれ等も防ぐことができる。カメラの合焦距離は基部の高さ等に応じて定めることで、微調整の手間も省くことができる。従って、本発明の携帯端末用装着具により、携帯端末による情報読取を容易かつ精度良く行うことができる。
【００１１】
前記載置台にクローズアップレンズが設けられることが望ましい。
クローズアップレンズを使用してカメラからの合焦距離が短縮できるので、基部の高さを低くでき全体として操作しやすい大きさとできる。
【００１２】
また、本発明の携帯端末用装着具には、前記携帯端末の位置を固定するための固定手段が設けられることが望ましい。
携帯端末の位置を固定することで、ぶれ等を無くし読取精度を高めることができる。
【００１３】
前記基部は、前記携帯端末のカメラの位置を含む前記載置台の平面の一部を避けて設けられることが望ましい。
これにより、カメラによる読取範囲と基部との干渉を防ぎ、読取範囲の撮影を好適に行うことができる。
【００１４】
前記基部の底面の高さ位置が、情報読取時の前記携帯端末のカメラからの合焦距離に対応することが望ましい。
これにより、容易かつ精度良く情報読取が行えるようになる。
【００１５】
前記載置台は、前記携帯端末からの照明を透過させることが望ましい。
これにより、必要な場合には携帯端末の照明を用いて情報媒体の読取範囲を照明し、これを鮮明に撮影して読取精度を高めることができる。
【発明の効果】
【００１６】
本発明により、携帯端末による情報読取を容易かつ精度良く行うことを可能とする携帯端末用装着具を提供することが可能になる。
【図面の簡単な説明】
【００１７】
【図１】携帯端末用ジャケット１の斜視図
【図２】携帯端末用ジャケット１を示す図
【図３】携帯端末用ジャケット１に携帯端末１３を装着した状態を示す図
【図４】携帯端末１３による情報読取を示す図
【発明を実施するための形態】
【００１８】
以下、添付図面に基づいて、本発明に係る携帯端末用装着具の好適な実施形態について詳細に説明する。
【００１９】
［１．携帯端末用ジャケット１の構成］
まず、図１〜図３を参照しながら、本実施形態の携帯端末用ジャケット（携帯端末用装着具）について説明する。本実施形態の携帯端末用ジャケットは、カメラ機能を有する携帯端末のカメラを用いた情報読取の際に、携帯端末を装着し読取を補助するためのものである。携帯端末は例えばスマートフォンやタブレット端末などであり、カメラの他、ディスプレイ、制御部、記憶部、通信部などを有する。
【００２０】
図１は本実施形態の携帯端末用ジャケット１の斜視図である。図２は携帯端末用ジャケット１を示す図であり、図２（ａ）〜（ｅ）は、それぞれ携帯端末用ジャケット１の平面、前面、側面、後面、底面を示す。図３は、携帯端末用ジャケット１に携帯端末１３を装着した状態を示す図である。なお、携帯端末用ジャケット１の前面は、図１の矢印Ａに示す方向から見た面とする。
【００２１】
図１〜図３に示すように、携帯端末用ジャケット１は、載置台３１の下に基部３３を配置して構成される。載置台３１及び基部３３は樹脂等で一体に形成され、透明性を有する。
【００２２】
載置台３１は携帯端末１３（図３参照）を載置する箇所である。載置台３１は略長方形状の平面を有し、平面形状は携帯端末１３とほぼ同形となっている。なお、携帯端末１３の載置台３１側の面に凸部がある場合を考慮して、載置台３１に窪み部を設けておいてもよい。
【００２３】
載置台３１の外周部には、携帯端末１３の固定手段として、ずれ防止ツメ７が設けられる。ずれ防止ツメ７はかぎ状に形成され、載置台３１に載置した携帯端末１３の側面を係止し、携帯端末１３を固定する。この携帯端末用ジャケット１では、載置台３１の前部に１つ、後部に２つ、左右に１つずつの計５つのずれ防止ツメ７を設けている。ただし、ずれ防止ツメ７の個数や位置、また形状などもこれに限ることはない。さらに、携帯端末１３の固定手段は本実施形態のようなずれ防止ツメ７に限らず、携帯端末１３の位置が固定可能であればよい。
【００２４】
載置台３１の前部において、携帯端末１３を載置した際に携帯端末１３のカメラ１５（図３参照）と対応する位置には、空洞部５が設けられる。この空洞部５にクローズアップレンズ９が取り付けられる。クローズアップレンズ９は、カメラ１５からの合焦距離を短縮するために設けられる。
【００２５】
基部３３は略直方体の所定の高さの函状に形成され、載置台３１に載置する携帯端末１３を一定の高さに保つ。基部３３の平面形状は、載置台３１の前部を後退させたものとなっている。すなわち、基部３３は、携帯端末１３のカメラ１５の位置を含む載置台３１の平面の前部を避けて設けられており、載置台３１の前部の下には空間が設けられる。
【００２６】
基部３３が載置台３１から後退する長さＬ（図２（ｃ）参照）は、携帯端末１３のカメラ１５による読取範囲を、基部３３が遮らないように定める。例えば、この読取範囲はカメラ１５の平面位置を中心とする矩形状の範囲であり、基部３３の底面高さにおいて、前後の長さが４０ｍｍ程度である（図３参照）。前記の長さＬは、基部３３がこの読取範囲と干渉しないように定める。
【００２７】
また、基部３３の高さＨ（図２（ｃ）参照）は、携帯端末１３による情報読取時のカメラ１５からの合焦距離によって定められる。すなわち、基部３３の底面の高さ位置が、携帯端末１３のカメラ１５からの合焦距離に対応するように、基部３３の高さＨが定められる。例えば、高さＨは１１ｍｍ程度（図３参照）とする。
【００２８】
［２．携帯端末１３による情報読取］
次に、携帯端末用ジャケット１に装着した携帯端末１３による情報読取について、図４を参照しながら説明する。
【００２９】
図４は、携帯端末用ジャケット１に携帯端末１３を装着し、情報媒体１１の情報を読取る際の状態を上から見た図である。本実施形態では、情報媒体１１を商品のカタログや広告とし、多数の商品について画像等が掲載されており、各商品に対応する位置にその商品の商品コード２１が印刷されているものとする。
【００３０】
本実施形態では、この情報媒体１１の読取に際し、まず携帯端末１３を携帯端末用ジャケット１の載置台３１に載置し、ずれ防止ツメ７により係止し固定する。そして、情報媒体１１の上に、携帯端末１３を装着した携帯端末用ジャケット１を配置する。
【００３１】
次いで、携帯端末１３に予めインストールされている情報読取用のアプリケーションを起動させる。すると、携帯端末１３の制御部がカメラ機能を動作させ、カメラ１５からの合焦距離を所定の値に定めて基部３３の底面の高さ位置に対応させ、情報媒体１１の読取範囲の撮影を行う。携帯端末１３のディスプレイ１７には、読取範囲内の情報媒体１１の画像が拡大表示される。
【００３２】
携帯端末１３では、必要に応じて付属のＬＥＤランプなどの照明（不図示）を点灯し、読取範囲を照明する。なお、携帯端末用ジャケット１の載置台３１等は透明性を有し照明光を透過させるので、照明が遮られることはない。
【００３３】
携帯端末１３の制御部は、読取範囲の画像処理等により商品コード２１を読取ると、その商品コード２１の商品に関する商品情報を、ネットワークを介してサーバから取得する。商品情報は、例えば商品の価格や商品の説明、商品に関する静止画や動画などである。
【００３４】
このようにして、携帯端末用ジャケット１に装着した携帯端末１３を情報媒体１１上で移動させながら、情報媒体１１の情報を読取ったり、携帯端末１３に拡大して表示させることが可能になる。この間携帯端末１３と情報媒体１１との距離は固定されるので、合焦距離の微調整等は不要である。
【００３５】
なお、本実施形態では、商品コード２１を商品に対応する数字や文字とし、これを黒背景中に白抜きで表示したものとしているが、商品コード２１はこれに限ることはない。例えば商品コード２１は二次元コードなどにより印刷されたものであってもよい。また、携帯端末１３にて読取る情報媒体１１も、商品のカタログや広告に限ることはなく、用途に応じた種々のものが考えられる。
【００３６】
以上のように、本実施形態によれば、携帯端末用ジャケット１の載置台３１の上に携帯端末１３を載置して装着し、情報媒体１１上に配置することにより、携帯端末１３を情報媒体１１上で移動させながら、情報媒体１１の情報を読取ったり、携帯端末１３に拡大して表示させることが可能になる。この際、携帯端末１３と情報媒体１１との距離は自ずと固定され、基部３３の底面の高さ位置が、カメラ１５からの合焦距離に対応するので、携帯端末１３のカメラ位置を手で固定する必要はなく、ピントずれ等も防ぐことができ、微調整の手間も省くことができる。従って、携帯端末用ジャケット１により、携帯端末１３による情報読取を容易かつ精度良く行うことができる。
【００３７】
さらに、載置台３１にクローズアップレンズ９を設け、カメラ１５からの合焦距離も短縮されるので、基部３３の高さも低くでき全体として操作しやすい大きさとできる。クローズアップレンズ９を省略することも可能であるが、その場合基部３３の高さを大きくする必要がある。
【００３８】
また、携帯端末用ジャケット１には、携帯端末１３の位置を固定する固定手段としてずれ防止ツメ７を設けるので、携帯端末１３のぶれ等を無くし読取精度を高めることができる。
【００３９】
また、基部３３は、携帯端末１３のカメラ１５の位置を含む載置台３１の平面の前部を避けて設けられるので、カメラ１５による読取範囲と基部３３が干渉せず、読取範囲の撮影を好適に行える。なお、カメラ１５が異なる位置にある場合にも、上記と同様、カメラ１５による読取範囲と基部３３が干渉しないように、カメラ１５の位置を含む載置台３１の平面の一部を避けて基部３３を設ければよい。
【００４０】
また、載置台３１等は透明に形成され、携帯端末１３からの照明光を透過するので、必要な場合には携帯端末１３付属の照明を用いて情報媒体１１の読取範囲を照明し、これを鮮明に撮影して読取精度を高めることができる
【００４１】
しかしながら、本発明が実施形態で説明したものに限ることはない。例えば、本実施形態では基部３３を函状に形成しているが、本発明の別の例として、基部３３を壁状あるいは柱状に形成してもよい。ただし、函状にすると、基部３３を滑らせるようにして情報媒体１１上で容易に移動させることが可能で、また安定性も高い。
【００４２】
また、携帯端末用ジャケット１の載置台３１や基部３３は、樹脂を用いて透明に形成しているが、その材質が樹脂に限ることはなく、また載置台３１や基部３３が透明でなくてもよい。この場合は、載置台３１において携帯端末１３付属の照明に対応する位置に空洞部を設けておくと、照明光を透過させることが可能である。ただし、本実施形態のように載置台３１や基部３３が透明性を有していると、周囲の光を透過させ読取範囲の明るさを確保しやすい。
【００４３】
加えて、本実施形態では載置台３１の平面の前部を除いた位置に基部３３を設けたが、光の屈折等によりカメラ１５による情報読取を妨げない材料で基部３３を形成する場合などでは、載置台３１の平面全体に渡って基部３３を配置する可能性も考えられる。
【００４４】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４５】
１：携帯端末用ジャケット
７：ずれ防止ツメ
９：クローズアップレンズ
１１：情報媒体
１３：携帯端末
１５：カメラ
１７：ディスプレイ
２１：商品コード
３１：載置台
３３：基部
【図１】
2014103642.tif 000003
【図２】
2014103642.tif 000004
【図３】
2014103642.tif 000005
【図４】
2014103642.tif 000006